(57)【要約】【課題】工場内で有孔積層部材を積層させて運搬可能に造った積層体ユニットを現地まで運搬し、現地で積層体ユニットを積み重ねて完成させる、バーベキュー炉等の積層体ユニット構造物を提供することを課題とする。【解決手段】複数の有孔積層部材を列設させて少なくとも２段に積み重ねられた積層体と、前記積み重ねた有孔積層部材が縦孔及び横孔のうちの少なくともいずれかの孔を有し、前記縦孔及び横孔のうちの少なくともいずれかの孔に貫入させた補強材と、を備え、最下段の複数の有孔積層部材の下面に樹脂と親和性を有する第一水平補強体を前記樹脂で貼設し、前記複数の有孔積層部材の上下間に運搬時に形態保持可能な剛性を有しセメント系材料と結合可能な第二水平補強体を介在させ、前記有孔積層部材の縦孔や横孔、前記有孔積層部材の上下間および左右間の隣接間にセメント系材料を流し込んで運搬可能な構造物部材としたことを特徴とする運搬可能な積層体ユニットにより課題解決できた。【選択図】      図１
2018115777.tif 000002
【特許請求の範囲】
【請求項１】
複数の有孔積層部材を列設させて少なくとも２段に積み重ねられた積層体と、
前記積み重ねた有孔積層部材が縦孔及び横孔のうちの少なくともいずれかの孔を有し、前記縦孔及び横孔のうちの少なくともいずれかの孔に貫入させた補強材と、を備え、
最下段の複数の有孔積層部材の下面に樹脂と親和性を有する第一水平補強体を前記樹脂で貼設し、
前記複数の有孔積層部材の上下間に運搬時に形態保持可能な剛性を有しセメント系材料と結合可能な第二水平補強体を介在させ、
前記有孔積層部材の縦孔や横孔、前記有孔積層部材の上下間および左右間の隣接間にセメント系材料を流し込んで運搬可能な構造物部材としたことを特徴とする運搬可能な積層体ユニット。
【請求項２】
前記有孔積層部材の縦孔及び横孔のうちの少なくともいずれかの孔に貫入させた補強材の形態が、前記縦孔に貫入させた垂直方向の垂直補強材を有する形態、前記横孔に貫入させた水平方向の水平補強材を有する形態、又は、前記縦孔に貫入させた垂直方向の垂直補強材及び前記横孔に貫入させた水平方向の水平補強材を有する形態であることを特徴とする請求項１に記載の運搬可能な積層体ユニット。
【請求項３】
請求項１又は２に記載の運搬可能な積層体ユニット間にセメント系材料を介在させた構造物であることを特徴とする積層体ユニット構造物。
【請求項４】
１段目を構成する、縦孔及び横孔のうちの少なくともいずれかの孔を有する有孔積層部材を配設し、前記縦孔及び前記横孔のうちの少なくともいずれかの孔であって、前記いずれかの孔が縦孔の場合には垂直方向の垂直補強材を貫入し、前記いずれかの孔が横孔の場合には水平方向の水平補強材を貫入し、前記１段目の有孔積層部材の上面に運搬時に形態保持可能な剛性を有しセメント系材料と結合可能な第二水平補強体を載設し、その後に前記有孔積層部材の縦孔や横孔、前記有孔積層部材の上面および左右間の隣接間にセメント系材料を流し込んで１段目を製作する第１段目製作工程と、
２段目を構成する有孔積層部材を、前記１段目の有孔積層部材の上面に、前記２段目の有孔積層部材の孔に１段目製作工程で配設した前記垂直補強材及び／又は前記水平補強材を貫入させて配設し、前記２段目の有孔積層部材の縦孔や横孔並びに左右間の隣接間にセメント系材料を流し込み、前記２段目の有孔積層部材の上面に樹脂と親和性を有する第一水平補強体を前記樹脂で前記２段目の有孔積層部材に貼設して２段目を製作する第２段目製作工程と、
前記第１段目製作工程及び第２段目製作工程で流し込んだセメント系材料や樹脂が固まった後に、前記第２段目製作工程の完成体を上下方向にひっくり返して積層体ユニットを完成させる積層体ユニット完成工程と、を備えることを特徴とする運搬可能な積層体ユニット製作方法。
【発明の詳細な説明】
【技術分野】
【０００１】
本発明は、工場等の施工場所で有孔レンガ、有孔石材又は有孔セメントブロックなどの有孔積層部材を積層させて造った複数の積層体ユニットと、前記複数の積層体ユニットを設置場所に運搬し設置場所で運搬した複数の積層体ユニットを積み重ねて完成させるバーベキュー炉等の積層体ユニット構造物に関する。
【背景技術】
【０００２】
例えば、有孔積層部材を積層させたバーベキュー炉としては、特許文献１に、地面に置かれる第一枠部材と、この第一枠部材に取り付けられ略垂直に立設される棒状の保持部材と、上記保持部材が挿通される透孔が形成されこの透孔に上記保持部材が挿通されて組み立てられた複数のブロックと、組み立てられた最上層の上記ブロックの上面に当接しこのブロックの上面に突出する上記保持部材の先端に固定される第二枠部材が設けられ、組み立てられた上記複数のブロックによる構造物は、一部が開口した筒状に設けられていることを特徴とする組立式バーベキュー炉が開示されている。
【先行技術文献】
【特許文献】
【０００３】
【特許文献１】特開２００２−２６７３７１号公報
【発明の概要】
【発明が解決しようとする課題】
【０００４】
特許文献１の発明は、使用する現地での組立工程を簡単化させるが、現地での作業となるため作業者の技能レベルによって組立精度などの品質面で差が生じやすく、現地での作業が天候に左右されやすく納期が日程通りになりにくいという問題があった。
【０００５】
本発明はこうした問題に鑑み創案されたもので、工場内で有孔積層部材を積層させて運搬可能に造った積層体ユニットを現地まで運搬し、現地で積層体ユニットを積み重ねて完成させる、例えばバーベキュー炉等の積層体ユニット構造物を提供することを課題とする。
【課題を解決するための手段】
【０００６】
請求項１に記載の運搬可能な積層体ユニット１は、複数の有孔積層部材３を列設させて少なくとも２段に積み重ねられた積層体と、前記積み重ねた有孔積層部材３が縦孔及び横孔のうちの少なくともいずれかの孔を有し、前記縦孔及び横孔のうちの少なくともいずれかの孔に貫入させた補強材と、を備え、最下段の複数の有孔積層部材３の下面に樹脂８と親和性を有する第一水平補強体５を前記樹脂８で貼設し、前記複数の有孔積層部材３の上下間に運搬時に形態保持可能な剛性を有しセメント系材料７と結合可能な第二水平補強体６を介在させ、前記有孔積層部材３の縦孔や横孔、前記有孔積層部材３の上下間および左右間の隣接間にセメント系材料７を流し込んで運搬可能な構造部材としたことを特徴とする。
【０００７】
請求項２に記載の運搬可能な積層体ユニット１は、請求項１において、前記有孔積層部材３の縦孔及び横孔のうちの少なくともいずれかの孔に貫入させた補強材の形態が、前記縦孔に貫入させた垂直方向の垂直補強材４を有する形態、前記横孔に貫入させた水平方向の水平補強材（図示なし）を有する形態、又は、前記縦孔に貫入させた垂直方向の垂直補強材４及び前記横孔に貫入させた水平方向の水平補強材を有する形態であることを特徴とする。
【０００８】
請求項３に記載の積層体ユニット構造物２は、請求項１又は２に記載の運搬可能な積層体ユニット１間にセメント系材料７を介在させた構造物であることを特徴とする。
【０００９】
請求項４に記載の運搬可能な積層体ユニット製作方法１０は、１段目を構成する、縦孔及び横孔のうちの少なくともいずれかの孔を有する有孔積層部材３を配設し、前記縦孔及び前記横孔のうちの少なくともいずれかの孔であって、前記いずれかの孔が縦孔の場合には垂直方向の垂直補強材４を貫入し、前記いずれかの孔が横孔の場合には水平方向の水平補強材を貫入し、前記１段目の有孔積層部材３の上面に運搬時に形態保持可能な剛性を有しセメント系材料７と結合可能な第二水平補強体６を載設し、その後に前記有孔積層部材３の縦孔や横孔、前記有孔積層部材３の上面および左右間の隣接間にセメント系材料７を流し込んで１段目を製作する第１段目製作工程１２と、２段目を構成する有孔積層部材３を、前記１段目の有孔積層部材３の上面に、前記２段目の有孔積層部材３の孔に１段目製作工程で配設した前記垂直補強材４及び／又は前記水平補強材を貫入させて配設し、前記２段目の有孔積層部材３の縦孔や横孔並びに左右間の隣接間にセメント系材料７を流し込み、前記２段目の有孔積層部材３の上面に樹脂８と親和性を有する第一水平補強体５を前記樹脂８で前記２段目の有孔積層部材３に貼設して２段目を製作する第２段目製作工程１３と、前記第１段目製作工程１２及び第２段目製作工程１３で流し込んだセメント系材料７や樹脂８が固まった後に、前記第２段目製作工程１３の完成体を上下方向にひっくり返して積層体ユニット１を完成させる積層体ユニット完成工程１４と、を備えることを特徴とする。
【発明の効果】
【００１０】
請求項１、２又は４に記載の積層体ユニット１は、工場内で有孔レンガ、有孔石材又は有孔セメントブロックなどの有孔積層部材３から造った構造部材である積層体ユニット１を、その形態を崩すことなく運搬することができるという効果を有する。そして、工場から現地まで運搬して、現地で運搬した構造部材である積層体ユニット１を、モルタル等のセメント系材料７を塗布しながら積み重ねてバーベキュー炉等の積層体ユニット構造物２を完成させることができる。これにより、現地での施工が極めて容易になり現地工数が大幅に短縮されるという効果を有する。さらに、積層体ユニット１を工場内で製造するので天候に左右されず、有孔積層部材３やモルタルなどの部品や資材や工具の配置や作業高さを作業のしやすさでもっとも効率的な位置にすることができるので、工程管理がやりやすく安定した品質を造り込むことができ納期を確実に遵守できるという効果を奏する。
【００１１】
請求項２に記載の積層体ユニット構造物２は、従来の現地でのレンガ等の有孔積層部材１の積み上げ作業では例えばバーベキュー炉の場合は施工完了までに２日間は要していたが、本願発明の積層体ユニット１の場合は施工を半日で完了するという現地での作業時間の大幅短縮化できるという効果を奏する。現地の天候が雨天が日々続いた期間であっても、半日でも晴れた時間帯が生ずれば現地に積層体ユニット構造物２を設置できるという効果を奏する。
【図面の簡単な説明】
【００１２】
【図１】本発明の積層体ユニットの一つの形態を示す外観図である。
【図２】本発明の積層体ユニットの一つの形態の１段目の施工を説明する説明図である。
【図３】本発明の積層体ユニットの一つの形態の１段目の施工を説明する説明図である。
【図４】本発明の積層体ユニットの一つの形態の２段目の施工を説明する説明図である。
【図５】本発明の積層体ユニットの一つの形態の２段目の施工を説明する説明図である。
【図６】本発明の積層体ユニットの一つの形態の完成状態を説明する説明図である。
【図７】現地で積層体ユニットを重ねる施工を説明する説明図である。
【図８】現地で完成させた１形態の積層体ユニット構造物を説明する説明図である。
【図９】現地で完成させた他の形態の積層体ユニット構造物を説明する説明図である。
【図１０】現地で完成させた他の形態の積層体ユニット構造物を説明する説明図である。
【図１１】積層体ユニット構造物の例を示す平面図であり、（ａ）が略コ字状で、（ｂ）が略円形状で、（ｃ）が略四角形状の積層体ユニット構造物を説明する平面図である。
【図１２】積層体ユニット及び積層体ユニット構造物の製作フロー図である。
【発明を実施するための形態】
【００１３】
従来はレンガ等の有孔積層部材３を積み重ねた構造物は現地で一から造り上げるという施工をしてきたのに対して、本発明の積層体ユニット１を使用した構造物は、工場でレンガ等の有孔積層部材３を積み重ねた積層体ユニット１なる構造部材を造り、この構造部材の積層体ユニット１を現地まで運搬して現地で極めて短時間でバーベキュー炉等の積層体ユニット構造物２を完成させるという、有孔積層部材３を使用した構造物のユニット化を実現させたものである。
【００１４】
本発明の運搬可能な積層体ユニット１は、複数の有孔積層部材３を列設させて少なくとも２段に積み重ねられた積層体と、前記積み重ねた有孔積層部材３が縦孔及び横孔のうちの少なくともいずれかの孔を有し、前記縦孔及び横孔のうちの少なくともいずれかの孔に貫入させた補強材と、を備え、最下段の複数の有孔積層部材３の下面に樹脂８と親和性を有する第一水平補強体５を前記樹脂８で貼設し、前記複数の有孔積層部材３の上下間に運搬時に形態保持可能な剛性を有しセメント系材料７と結合可能な第二水平補強体６を介在させ、前記有孔積層部材３の縦孔や横孔、前記有孔積層部材３の上下間および左右間の隣接間にセメント系材料７を流し込んで運搬可能な構造部材である。
【００１５】
前記有孔積層部材３の縦孔及び横孔のうちの少なくともいずれかの孔に貫入させた補強材の形態が、前記縦孔に貫入させた垂直方向の垂直補強材４を有する形態、前記横孔に貫入させた水平方向の水平補強材を有する形態、又は、前記縦孔に貫入させた垂直方向の垂直補強材４及び前記横孔に貫入させた水平方向の水平補強材を有する形態である。
【００１６】
構造物としては、レンガ等の有孔積層部材３を使用して造るバーベキュー炉、門柱、暖炉、竈などがある。これらの構造物が例えば有孔積層部材３を６段積重ねた構造物の場合は、２段積みの運搬可能な積層体ユニット１を工場内で３組造り、これを現地まで運搬して現地で３組の積層体ユニット１をセメント系材料７である例えばモルタルを塗布しながら積み重ねて積層体ユニット構造物２を完成させる。
【００１７】
有孔積層部材３には、有孔レンガ、有孔石材又は有孔セメントブロックなどの有孔積層部材３が該当する。
【００１８】
レンガ等の有孔積層部材３を少なくとも２段積みとするのは、段積みした積層体ユニット１が、補強材、第一水平補強体５や第二水平補強体６の保持力によって、全体の形体を崩さないで全体の形体を保持可能な範囲内にするためには、段積みが少ない方が適するからである。
【００１９】
垂直補強材４や水平補強材は、有孔積層部材３の縦孔には垂直方向に延伸させた長軸状の垂直補強材４を貫入させ、有孔積層部材３の横孔には水平方向に延伸させた長尺状の水平補強材を貫入させる。使用する有孔積層部材３の孔の向きが縦方向か横方向かで異なり、補強材を垂直方向と水平方向のうちの少なくとも１つ以上の方向に貫入させる。補強材としては、ダボ筋、金属製棒状体、非金属製棒状体、樹脂製棒状体などがあり、有孔積層部材３間の位置ずれを生じさせるせん断力に打ち勝つ強度を有する補強材であればよい。補強材を貫入させた有孔積層部材３の孔にはモルタル等のセメント系材料７を流し込む。これにより補強材が有孔積層部材３に固定される。
【００２０】
最下段に配設した複数の有孔積層部材３の下面の全面には、樹脂８と親和性を有する第一水平補強体５が配設されている。第一水平補強体５としては、例えば不織布等の布体があり、この場合には前記樹脂８を塗布して前記布体を前記下面に貼設する。樹脂８としては薄く塗布できる接着剤がよく、例えばＦＲＰ樹脂がある。これにより、積層体ユニット１の各有孔積層部材３同士の下面の高さを揃え、各有孔積層部材３の横方向の固着力を高めて積層体ユニット１を運搬可能とすることができる。
【００２１】
複数の有孔積層部材３の上下間に運搬時に形態保持可能な剛性を有する第二水平補強体６を介在させる。第二水平補強体６としては、積層体ユニット１がバラバラに崩れるのを阻止するために必要な保持力を有するようにするため、例えばラスや金網等の格子状網体がある。この格子状網体を、例えば運搬可能な積層体ユニット１が２段積みの場合は、１段目と２段目の間に全面に亘って配設する。そして、セメント系材料７としてのモルタルを塗布して上側の有孔積層部材３の下面と格子状網体と下側の有孔積層部材３の上面とを固着させる。これにより、２段積みの積層体ユニット１が運搬中に崩れないという効果を奏する。
【００２２】
次に、積層体ユニット構造物２について説明する。積層体ユニット構造物２は、前記運搬可能な積層体ユニット１の構造部材を、配設した前記積層体ユニット１の上下間や左右間にモルタル等のセメント系材料７を介在させた構造物である。
【００２３】
積層体ユニット１を造るときは図１に示すように第一水平補強体５を最上の位置に配設するが、積層体ユニット構造物２を造るときは図６や図７に示すように第一水平補強体５を最下の位置にする。これは、積層体ユニット１を運搬するときに、積層体ユニット１の下面に有孔積層部材３がバラバラにならないように補強がされている必要があり、セメント系材料７を接着用に使用した場合は接着力が不足して積層体ユニット１を構成する複数の有孔積層部材３がバラバラになる可能性があるため、接着用にセメント系材料７の接着力よりも強い接着力を有する樹脂８を使用した面にするためである。
【００２４】
積層体ユニット構造物２が有孔積層部材３を４段積み重ねた形態である場合であって、運搬可能な積層体ユニット１が図６に示すように２段積みの場合は、図７に示すように、現地で樹脂８と親和性を有する布体を前記樹脂８で貼設した面を最下面になるように１つ目の積層体ユニット１を設置し、その設置した積層体ユニット１の上にモルタル等のセメント系材料７を塗布し、２つ目の積層体ユニット１を樹脂８と親和性を有する布体を前記樹脂８で貼設した面を下面になるように載置し上から押圧する。以上で、図８に示すように現地における積層体ユニット構造物２が完成する。
【００２５】
積層体ユニット構造物２の段数としては、図９に示すようにレンガ等の有孔積層部材３が４段積みや図１０に示すように有孔積層部材３が６段積みの形態がある。段積み数は所望の段数にすることができる。また、平面視の形態としては、レンガ等の有孔積層部材３を長さの異なるものを使用して、図１１（ａ）に示すように略コ字状、（ｂ）に示すように略円状、（ｃ）に示すように略四角形状の形態がある。そして、有孔積層部材３を積み木のようにして積層体ユニット構造物２の形体を積み木細工のように所望の形体にすることができる。
【００２６】
次に、積層体ユニット１の製造方法について説明する。まず、作業床面の水平化等の準備作業１１である。積層体ユニット１を造り上げていくスペースの水平を確保する。そのためには地面Ｇや床面等に凹凸部位があれば凹凸部位をセメント系材料７により水平面にする養生を実施する。
【００２７】
そして、現地に設置する構造物を完成させるのに、その構造物に供給する構造部材として、例えば２段の積層体ユニット１を造るとすれば、前記構造物の平面視での１段目と２段目の形体を把握する。その形体が図９に示すようにコ字状であったとする。
【００２８】
次に、第１段目製作工程１２である。１段目を構成する有孔積層部材３を、図２に示すように、コ字状を形成するように配置する。そして、図３に示すように、有孔積層部材３の縦孔に２段分の長さを有する長尺状の垂直補強材４を垂設する。このときに前記１段目の有孔積層部材３の孔が横孔の場合には水平方向の水平補強材を貫入し、又は、縦孔及び横孔を有する場合には垂直補強材４や水平補強材を貫入することもできる。
【００２９】
そして、前記１段目の有孔積層部材３の上面に運搬時に形態保持可能な剛性を有しセメント系材料７と結合可能な第二水平補強体６として例えばラスを載設する。第二水平補強体６としては、ラス等のセメント系材料７と結合可能なものが好適であり、ラスのような格子状のものがセメント系材料７と結合しやすいので好適である。
【００３０】
そして、図４に示すように、前記有孔積層部材３の縦孔や横孔、前記有孔積層部材３の上面および左右間の隣接間にセメント系材料７を流し込む。前記有孔積層部材３の上面では載設したラスを覆うようにセメント系材料７を塗布する。セメント系材料７としては、例えばモルタル等がある。これで１段目が完成する。
【００３１】
次に、第２段目製作工程１３である。第２段目製作工程１３は、２段目を構成する有孔積層部材３を、前記１段目の有孔積層部材３の上面の前記モルタル等のセメント系材料７を塗布した上に、図５に示すように、前記２段目の有孔積層部材３の縦孔に１段目製作工程で配設した前記垂直補強材４を貫入させて配設する。このときに、２段目の有孔積層部材３の孔が横孔の場合には、前記２段目の有孔積層部材３の横孔に１段目製作工程で配設した前記水平補強材又は垂直補強材４を貫入させて配設する。
【００３２】
そして、２段目の有孔積層部材３の縦孔又は横孔、有孔積層部材３間にモルタル等のセメント系材料７を流し込む。そして、２段目の配設した複数の有孔積層部材３の上面を略水平になるように前記セメント系材料７を塗布する。
【００３３】
そして、前記２段目の有孔積層部材３の上面に、図１や図６に示すように、樹脂８と親和性を有する第一水平補強体５として例えば不織布を、前記樹脂８を塗布して前記２段目の有孔積層部材３の上面に貼設する。この貼設により有孔積層部材３が強固に連結して積層体ユニット１を運搬時に揺れなどの外力を受けても崩れないようにすることができる。これで、２段目が完成する。
【００３４】
次に、積層体ユニット完成工程１４である。前記第１段目製作工程１２及び第２段目製作工程１３で流し込んだセメント系材料７や樹脂８が固まった後に、図７（ａ）に示すように前記第２段目製作工程１３の完成体を、図７（ｂ）に示すように上下方向にひっくり返して積層体ユニット１を完成させる。
【００３５】
次に、積層体ユニット構造物製作工程１５である。例えば、積層体ユニット構造物２が有孔積層部材３の４段構造の場合、積層体ユニット構造物製作工程１５は、現地で図７（ｂ）に示すように、積層体ユニット構造物２予定地の地面Ｇの上にモルタル等のセメント系材料７を地面Ｇが水平になるように塗布し、その塗布したセメント系材料７の上に積層体ユニット１を載設し、前記載設した積層体ユニット１の上面にモルタル等のセメント系材料７を塗布する。そして、塗布したセメント系材料７の上に、次の図７（ｂ）に示すように、２段目用の積層体ユニット１を載設し、上方から押圧をかける。これで、図８に示すように、２段積みの積層体ユニット１を２段に積み重ねた、有孔積層部材３の４段構造の積層体ユニット構造物２が完成する。
【００３６】
積層体ユニット構造物２の有孔積層部材３の段数が多くなれば、それに合わせて有孔積層部材３が２段積みの積層体ユニット１の積み重ね数を増やせばよい。
【符号の説明】
【００３７】
１        積層体ユニット
２        積層体ユニット構造物
３        有孔積層部材
４        垂直補強材
５        第一水平補強体
６        第二水平補強体
７        セメント系材料
８        樹脂
１０        積層体ユニット製作方法
１１        準備作業
１２        第１段目製作工程
１３        第２段目製作工程
１４        積層体ユニット完成工程
１５        積層体ユニット構造物製作工程
【図１】
2018115777.tif 000003
【図２】
2018115777.tif 000004
【図３】
2018115777.tif 000005
【図４】
2018115777.tif 000006
【図５】
2018115777.tif 000007
【図６】
2018115777.tif 000008
【図７】
2018115777.tif 000009
【図８】
2018115777.tif 000010
【図９】
2018115777.tif 000011
【図１０】
2018115777.tif 000012
【図１１】
2018115777.tif 000013
【図１２】
2018115777.tif 000014